(57)【要約】本発明は、互いに平行かつ互いに一定の間隔で延びている少なくとも２つの接触面（３，４）を有するバスバー（２）を接触させるための接触装置（１）であって、クランプ力を第一の前記接触面（４）に及ぼすクランプユニット（５）、及び、第二の前記接触面（３）を電気的に接触させる接触ユニット（６）を有し、前記クランプユニット（５）は、中間領域（７）が前記クランプユニット（５）と前記接触ユニット（６）の間に設けられ、その中間領域が前記バスバー（２）を収容するように前記接触ユニット（６）から一定の間隔に位置する接触装置（１）に関する。前記クランプユニット（５）は、前記接触面（４）に作用し、前記中間領域（７）に対して前記接触面上を移動され得るクランプ要素（８）、特にレバー（８）を有する。前記接触ユニット（６）は、前記中間領域（７）に向いた面（１０）を有する接触顎（９）、前記面（１０）に対して可動で、前記中間領域（７）の中に突き出した少なくとも一つの接触要素（１１）、及び前記接触要素（１１）に導電的に接続する接続要素（１２）を有する。【選択図】図１
2016510491.tif 000002
【特許請求の範囲】
【請求項１】
互いに平行かつ互いに一定の間隔で延びている少なくとも２つの接触面（３，４）を有するバスバー（２）を接触させるための接触装置（１）であって、
前記接触装置（１）は、クランプ力を第一の前記接触面（４）に及ぼすクランプユニット（５）、及び、第二の前記接触面（３）を電気的に接触させる接触ユニット（６）を有し、
前記クランプユニット（５）は、中間領域（７）が前記クランプユニット（５）と前記接触ユニット（６）の間に設けられ、その中間領域が前記バスバー（２）を収容するように前記接触ユニット（６）から一定の間隔に位置し、
前記クランプユニット（５）は、前記接触面（４）に作用し、前記中間領域（７）に対して前記接触面上を移動され得るクランプ要素（８）を有すること、及び
前記接触ユニット（６）は、前記中間領域（７）に向いた面（１０）を有する接触顎（９）、前記中間領域（７）の中に突き出した少なくとも一つの接触要素（１１）、及び前記接触要素（１１）に導電的に接続する端子要素（１２）を有すること
を特徴とする接触装置。
【請求項２】
前記接触要素（１１）が、接触面（３４）を有し、前記接触面（３４）が、前記面（１０）に対して平行に延びている、及び／又は、前記接触面が、少なくとも一つの切断要素（４０）を有しているか、若しくは前記切断要素（４０）によって設けられていることを特徴とする請求項１に記載の接触装置。
【請求項３】
前記接触要素（１１）が、ピン（３３）の形状を有し、前記接触顎（９）中の穴（３５）の中に移動可能に取り付けられており、前記ピン（３３）が、前記バスバー（２）を電気的に接触させるための前記接触面（３４）を有し、前記ピン（３３）が、好ましくは、前記穴から見て前記面（１０）の方向に前記ピンを押すスプリング（３６）の作用を受ける、及び／又は、前記接触面（３４）が、少なくとも一つの切断要素（４０）、特に、少なくとも一つの切断端（４０）又は少なくとも一つの円錐形チップを有することを特徴とする請求項１又は２に記載の接触装置。
【請求項４】
前記接触要素（１１）が、前記接触顎（９）のロッカー取り付け具（５７）に取り付けられた少なくとも一つのロッカー（５６）の形状を有し、前記ロッカーが、前記バスバー（２）に電気的に接触するための前記接触面（３４）を有し、前記ロッカー（５６）は、場合により、少なくとも一つの前記切断要素（４０）を有することを特徴とする請求項１又は２に記載の接触装置。
【請求項５】
前記接触要素（１１）が前記中間領域中に突き出たかぎ爪部（５９）を有する少なくとも１つのかぎ爪の形状を有し、前記かぎ爪は前記接触顎（９）中のかぎ爪取り付け具（６０）に取り付けられ、前記かぎ爪部（５９）が、前記バスバー（２）を電気的に接触させるための前記接触面（３４）を有することを特徴とする請求項１又は２に記載の接触装置。
【請求項６】
前記クランプ要素（８）がレバーであるか、又は
前記クランプ要素（８）が接触面（６８）を有するクランプ顎（６３）であるか、又は
前記クランプ要素（８）が少なくとも一つのロッカー取り付け具（５７）及びそこに取り付けられたロッカー（５６）を有するクランプ顎（６３）であるか、又は
前記クランプ要素（８）が少なくとも一つのかぎ爪取り付け具（６０）及びそこに取り付けられたかぎ爪（５８）を有するクランプ顎（６３）を有することを特徴とする請求項１〜５のいずれかに記載の接触装置。
【請求項７】
前記クランプ要素（８）が、前記接触顎（９）及び前記端子要素（１２）に導電的に接続していることを特徴とする請求項１〜６のいずれかに記載の接触装置。
【請求項８】
前記クランプユニット（５）及び前記接触ユニット（６）が、クランプユニット（５）と接触ユニット（６）の間の前記中間領域の幅が調節可能なように、動作軸（Ｂ）に沿って互いに対して移動可能であることを特徴とする請求項１〜７のいずれかに記載の接触装置。
【請求項９】
前記接触ユニット（６）及び前記クランプユニット（５）が、接触ユニット（６）とクランプユニット（５）の間で動作軸（Ｂ）に沿って相対的に移動可能にし、前記動作軸（Ｂ）の周りで相対的に移動することを防止するガイド要素（１３）を介して接触していることを特徴とする請求項７に記載の接触装置。
【請求項１０】
前記ガイド要素（１３）が、前記接触ユニット（６）の開口部（４２）及び前記クランプユニット（５）の開口部の中に突き出す、少なくとも一つのガイドピン（１３）の形状を有しているか、又は、前記ガイド要素（１３）が、前記接触ユニット（６）及び前記クランプユニット（５）を取り囲むハウジング部材によって提供されるか、又は、前記ガイド要素（１３）が、平らなガイド領域（６１）によって提供されることを特徴とする請求項９に記載の接触装置。
【請求項１１】
前記接触装置が、前記動作軸（Ｂ）に沿って延びている細長い接続要素（１５）を有し、この接触要素を介して、前記接触ユニット（６）及び前記クランプユニット（５）が互いに接続し、前記接続要素（１５）が、好ましくは棒又はパイプ（１５）の形状を有することを特徴とする請求項１〜１０のいずれかに記載の接触装置。
【請求項１２】
前記クランプユニット（５）、好ましくは前記接続要素（１５）の末端領域（３７）の前記クランプユニット（５）が、動作軸（Ｂ）に沿った移動に対して、固定的に前記接続要素（１５）に接続され、及び、前記接触ユニット（６）が、前記接続要素（１５）の外周面（３８）に移動可能に取り付けられていることを特徴とする請求項１１に記載の接触装置。
【請求項１３】
前記接続要素（１５）が、前記動作軸（Ｂ）の周りに、前記固定されたクランプユニット（５）に対して及び前記固定された接触ユニット（６）に対して、回転可能に取り付けられていることを特徴とする請求項１２に記載の接触装置。
【請求項１４】
前記接続要素（１５）が、ベアリング点（１６）を介して前記クランプユニット（５）に接続され、前記接続要素（１５）が、前記動作軸（Ｂ）に沿った動きに関しては、前記クランプユニット（５）に対して固定して取り付けられ、及び、前記接続要素（１５）が、前記動作軸（Ｂ）の周りの動きに関しては、前記クランプユニット（５）に対して回転可能に取り付けられていることを特徴とする請求項１１又は１２に記載の接触装置。
【請求項１５】
前記接触ユニット（６）、特に前記接触顎（９）が、連続した開口（１９）を有し、前記接続要素（１５）が、この開口（１９）を通ってガイドされ、前記接続要素（１５）が、前記接触ユニット（６）に対して、前記動作軸（Ｂ）の周りを旋回可能であり、かつ前記動作軸（Ｂ）に沿って移動可能であることを特徴とする請求項１１〜１４のいずれかに記載の接触装置。
【請求項１６】
前記半径方向に固定された接触ユニット（６）が、前記接続要素（１５）の回転によってねじ山（２０，５１）を介して前記動作軸（Ｂ）に沿って移動し、前記接触ユニット（６）の開口（１９）が、好ましくは、内側のネジ山（５２）を有し、かつ、前記接続要素（１５）が、前記内側のネジ山と協働する外側のネジ山（５１）を有し、前記接続要素（１５）が前記固定された接触ユニット（６）に対して回転したときに、前記接触ユニット（６）が、前記動作軸（Ｂ）に沿って動くことを特徴とする請求項１１〜１５のいずれかに記載の接触装置。
【請求項１７】
前記接続要素（１５）が、前記端子要素（１２）の一部であり、前記接続要素（１５）が、導電的な接続を介して前記接触ユニット（６）の前記接触要素（１１）と電気的に接触することを特徴とする請求項１〜１６のいずれかに記載の接触装置。
【請求項１８】
前記少なくとも一つの接触要素（１１）が、前記接触顎（９）に導電的に接続され、かつ、前記接触顎（９）が、前記接続要素（１５）に導電的に接続され、伝達要素（２０）、好ましくはマルチラメラ接触（Kontaktlamelle）（２０）が、好ましくは、前記少なくとも一つの接触要素（１１）と前記接触顎（９）の間、及び／又は前記接触顎（９）と前記接続要素（１５）の間に設けられていることを特徴とする請求項１〜１７のいずれかに記載の接触装置。
【請求項１９】
前記端子要素（１２）が、パイプ（６２）であり、その中に、作動要素（２５）が、前記パイプ（６２）の中心軸（Ｍ）に沿って長手方向に移動可能に取り付けられ、前記作動要素（２５）が、その前端部（２６）を介して、前記クランプ要素（８）、特に前記クランプ顎（６３）に作用し、特に好ましくは、前記前端部に固定して接続され、それにより前記クランプ要素（８）が前記接触ユニット（６）に対して移動可能であることを特徴とする請求項１〜１０のいずれかに記載の接触装置。
【請求項２０】
前記クランプ要素（８）が、前記パイプ（６２）に対してその中心軸（Ｍ）に沿って移動可能であり、前記クランプ要素（８）が、好ましくは、前記パイプ（６２）に固定して接続されているハウジング（６４）中に移動可能に取り付けられていることを特徴とする請求項１９に記載の接触装置。
【請求項２１】
前記作動要素（２５）が、その前端部（２６）を介して前記クランプ要素（８）、特に前記クランプ顎（６３）に固定して接続されていることを特徴とする請求項１９又は２０に記載の接触装置。
【請求項２２】
前記クランプ要素（８）、特に前記クランプ顎（６３）が、前記パイプ（６２）に導電的に接続され、その電気接触を伝達する伝達要素（６５，７０）、好ましくはマルチラメラ接触（６５，７０）が、前記クランプ要素（７）と前記パイプ（６２）の間に配置され、
前記伝達要素（６５）が、好ましくは前記パイプ（６２）の内側、又は前記接触顎（８）の穴（７１）の中に配置され、前記穴は前記パイプ（６２）を延ばし、前記接触顎は導電的に前記パイプ（６２）に接続し、前記クランプ顎（６３）に導電的に接続する接続部（６９）が前記パイプ（６２）又は前記穴（７１）中に突き出しているか、又は
前記伝達要素（６５）が、好ましくは平面内に延びていることを特徴とする請求項１９〜２１のいずれかに記載の接触装置。
【請求項２３】
前記接触ユニット（５）、特に前記接触顎（９）が、導電的に前記パイプ（６２）に、好ましくは一体として結合した接続を介して接続することを特徴とする請求項１９〜２１のいずれかに記載の接触装置。
【請求項２４】
前記接触装置が、さらに、ネジ山（７６，７７）を介して前記作動要素（２５）に接続する駆動要素（７３）を有し、前記駆動要素（７３）が回転すると、前記作動要素（２５）が前記パイプ（６２）の前記中心軸に沿って動くことを特徴とする請求項１９〜２３のいずれかに記載の接触装置。
【請求項２５】
前記駆動要素（７３）が、グリップ部（７４）及び、前記グリップ部（７４）に回転不可能に配置されたスリーブ要素（７５）を有し、前記スリーブは前記ねじ山を有することを特徴とする請求項２４に記載の接触装置。
【請求項２６】
前記駆動要素が、前記クランプユニット（５）と前記接触ユニット（６）の間を大雑把に調整できる、粗調整要素（８３）であり、かつ、微調整要素（８４）を介してクランプユニット（５）と接触ユニット（６）の間で精密な調整が可能であることを特徴とする請求項２４又は２５に記載の接触装置。
【請求項２７】
前記微調整要素（８４）が、カムディスク（８５）、特にスプリングカムアーム（８６）を有するカムディスクであり、前記カムディスクが、前記パイプ（６２）と接触するスリーブ（８７）の後端に作用し、それによって前記パイプ（６２）が、前記作動要素（２５）に対して移動し、前記接触ユニット（６）が前記クランプユニット（５）の反対に動くことを特徴とする請求項２６に記載の接触装置。
【請求項２８】
前記端子要素（１２）、特に前記パイプが、端子ユニット（２１）中に突き出し、かつ、そこで端子受け（４３）と直接的又は間接的に導電的に接触し、ケーブルを受け入れる端子部（４４）を有することを特徴とする請求項１〜２７のいずれかに記載の接触装置。
【請求項２９】
前記接続要素（１５）又は前記端子要素（１２）、特に前記パイプ（６２）が、前記端子受け（４３）の開口（２３）中に少なくとも部分的に延びており、伝達要素（２４）、特にマルチラメラ接触が、前記開口（２３）中に配置され、端子受け（２１）と接続要素（１５）若しくは前記端子要素（１２）、特に前記パイプ（６２）の間の電気接触を伝達し、前記接続要素（１５）又は前記端子要素（１２）、特に前記パイプ（６２）が、前記開口（２３）中に回転可能に又は固定されて取り付けられていることを特徴とする請求項２８に記載の接触装置。
【請求項３０】
前記クランプ要素（８）が、作動要素（２５）を用いて操作でき、前記作動要素（２５）が、好ましくは、前記接続要素（１５）を通って取り付けられたロッド（２５）であって、このロッド（２５）が、前端部（２６）を介して、前記クランプ要素（８）、特に前記レバーに作用することを特徴とする請求項１〜２９のいずれかに記載の接触装置。
【請求項３１】
前記接続要素（１５）が、調整ネジ（２８）を受け入れる内側ネジ山（２７）を有し、前記調整ネジ（２８）が、前記作動要素（２５）、特に前記ロッドの前記後端部（２９）に作用し、前記調整ネジ（２８）が回転したときに、前記作動要素（２５）が前記接続要素（１５）の中で動くことを特徴とする請求項３０に記載の接触装置。
【請求項３２】
前記レバー（８）が、静止位置に前記レバーを保持する、スプリングの形状の戻り要素（３０）を有し、及び／又は、前記レバー（８）が屈曲しており、かつ、前記バスバーとの接触点領域で丸められた部分（３１）を有し、及び／又は、前記接触装置が、電気絶縁されているハウジング（３２）も有し、前記ハウジング（３２）が、好ましくは、第一ハウジング部（４８）及び第二ハウジング部（４９）を有し、前記第一ハウジング（４８）は前記接触顎（９）の周辺に延び、前記第二ハウジング（４９）は前記接続要素（１５）の周辺に延び、かつ、結合して一緒に回転するように前記接続要素に接続され、前記ハウジング部は、部分的に互いに重なり合うことを特徴とする請求項１〜３１のいずれかに記載の接触装置。
【発明の詳細な説明】
【技術分野】
【０００１】
本発明は、請求項１の前文に記載のバスバーを接触させるための接触装置に関する。
【背景技術】
【０００２】
バスバーを接触させるための装置は、従来技術から公知である。
例えば、特許文献１は、この種の装置を開示している。この装置は、スプリングを介してスプリング力をその上に及ぼすレバー要素を含む。レバー要素は、バスバーに取り付けられ、このバスバーを他のバスバーに接触させる役割を果たす。その際、この他のバスバーは２つのレバー要素の間の中間領域中にスライドされる。
【０００３】
特許文献１による接触の欠点は、２つのバスバーが互いに傾いている場合には、明確な接触が形成できないことである。
【先行技術文献】
【特許文献】
【０００４】
【特許文献１】ＵＳ７，８０６，７１１
【発明の概要】
【発明が解決しようとする課題】
【０００５】
この先行技術から出発して、本発明の目的は、先行技術の欠点を解消する、バスバーを接触させるための接触装置を特定することである。より詳細には、異なる幅の複数のバスバーの接触及び／又は角度公差の補償が改善されるものである。
【０００６】
この目的は、請求項１に記載の発明によって達成される。従って、接触装置は、互いに平行に、かつ互いに一定の間隔で延びる少なくとも２つの接触面を有するバスバーを接触させる役割を果たす。接触装置は、第１の接触面にクランプ力を与えるクランプユニット、及び第２の接触面を電気的に接触させる接触ユニットを有する。クランプユニットは、クランプユニットと接触ユニットとの間に、バスバーを収容する役割を果たす中間領域が提供されるように接触ユニットから一定の距離に位置する。クランプユニットは、接触面に作用するクランプ要素、より詳細にはレバーを有する。クランプ要素は、中間領域に対して接触面の上に動くことができる。接触ユニットは、中間領域に面する表面を有する接触顎、該表面から中間領域中に突き出す、少なくとも１つの接触要素、及び接触要素に導電的に接続された端子要素を有する。接触要素は、好ましくは前記面に対して動かすことが可能であるか、又は可動である。
【０００７】
従って、接触ユニットとクランプユニットの間の中間領域を、クランプ要素で減らすことができ、接触装置はバスバーと反対に引っ張られる。バスバー中の角度誤差及び／又は不規則性が、少なくとも1つの動かすことが可能な接触要素によって補償され、良好な電気的接触が常に可能になる。
【０００８】
接触要素は、接触面を介してバスバーの接触面に導電的に接続される。接触面は、色々な方法で形成できる。例えば、接触面は、前記表面と平行に延びる平らな、もしくは平面的な面であってよい。また、接触面は、少なくとも1つの切断要素を有してもよい。切断要素は、刃の先端又は円錐形のチップであることが好ましい。前記少なくとも1つの切断要素は、ここで、平面的な面から伸びていることが好ましい。また、接触面は、少なくとも1つの切断要素によって排他的に（ausschliesslich）設けられていてもよい。
【０００９】
また、切断要素は、例えば、電気絶縁性の収縮管、塗装層、酸化物層で被覆された、又は電気絶縁性材料で被覆されたバスバーを接触装置と接触させ得る利点を有する。
【００１０】
複数の接触要素は、互いに規則的な距離で配置されることが特に好ましい。
【００１１】
端子要素は、特に好ましい実施形態でケーブルに接続される。これは、特に端子ユニットを介して行われる。
【００１２】
接触要素は、ピンの形状を有することが好ましい。ピンは、接触顎の穴に移動可能に取り付けられ、バスバーに電気的に接触させるための接触面を有する。接触面は、ピンの端面及び該端面上に配置された少なくとも1つの切断要素であり得る。或いは、接触面は、少なくとも1つの切断要素によって排他的に設けられてもよく、この少なくとも1つの切断要素は中間領域に向かってピンを終端させる。
【００１３】
ピンには、前記穴の中でスプリングが作用し、前記スプリングは、穴から見て前記表面の方向にピンを押す。スプリング力は、中間領域の方向に作用する。バスバーとの接触時に、ピンはスプリング力に抗って穴の中に移動され得る。
【００１４】
クランプユニット及び接触ユニットは、クランプユニットと接触ユニットの間の中間領域の距離又は幅が、実質的にバスバーの幅に調節され得るように、移動軸に沿って互いに対して移動可能であることが好ましい。
【００１５】
クランプユニットと接触ユニットの間で相対的に移動可能である結果、中間領域は大まかにバスバーの幅に調節され得る。最終的に接触を導く微調整は、上記のようにクランプ要素及び接触要素によって達成される。幅の異なるバスバーは、この調整の結果、特に容易にかつ素早く接触され得る。
【００１６】
接触ユニット及びクランプユニットは、ガイド要素を介して互いに接触されることが好ましい。これらのガイド要素は、移動軸に沿った接触ユニットとクランプユニットの間での相対的な移動を可能にし、移動軸の周りでの相対的な移動を防止する。従って、接触ユニット及びクランプユニットは、直線運動に沿って、互いに向かって及び互いに離れる方向に動かすことができる。言い換えれば、ガイド要素は、クランプユニットに対して接触ユニットの軸方向変位を可能にすると同時に、前記２つの構成要素の間の半径方向運動を防止する。
【００１７】
ガイド要素は、接触ユニットの開口及びクランプユニットの開口中につきだした、少なくとも１つのガイドピンの形状を有していることが好ましい。ガイドピンは、上記開口の一方中に押され、そこでしっかりと保持されることが好ましい。
【００１８】
接触装置は、移動軸に沿って延びた細長い接続要素を有し、接触ユニットとクランプユニットが該接続要素を介して互いに連結されることが好ましい。
【００１９】
接続要素は、棒の形状、特に円形の断面を有する棒の形状を有することが好ましい。或いは、接続要素は、パイプの形状を有することが好ましい。
【００２０】
クランプユニット、特に好ましくは接続要素の末端領域のクランプユニットは、移動軸に沿った移動に対して固定して接続要素に接続され、接触ユニットは、接続要素の外周面に移動可能に取り付けられることが好ましい。中間領域の調整は、接触ユニットの移動可能性によって達成され得る。
【００２１】
接続要素は、移動軸の周りを、固定されたクランプユニットに対して、及び固定された接触ユニットに対して、回転可能に取り付けられることが好ましい。従って、接続要素は、前記２つのユニットに対して移動軸の周りを回転できる。
【００２２】
好ましい実施形態では、接続要素は、ベアリングポイントを介してクランプユニットに接続され、接続要素は、前記移動軸に沿った動きと関連してクランプユニットに対して固定して取り付けられ、接続要素は移動軸の周りの動きに関連してクランプユニットに対して回転可能に取り付けられる。
【００２３】
クランプユニット上の前記ベアリングポイントは、接続要素に対して一定の角度で配置された係止要素、及び、接続要素上に配置された移動軸の周りを走る溝を有し、係止要素は、溝と係合することが好ましい。係止要素は、溝に両側で係合できるようにフォーク形であることが好ましい。
【００２４】
前記好ましい実施形態では、接触ユニット、特に接触顎は、連続的な開口を有し、接続要素はこの開口によってガイドされる。接続要素は、移動軸の周囲で接触ユニットに対して枢動可能であり、移動軸に沿って移動可能である。
【００２５】
接触ユニットの開口が内ネジ山を有し、接続要素が上記内ネジ山と連携する外ネジ山を有し、接続要素が固定された接触ユニットに対して回転されると、接触ユニットが移動軸に沿って動くことが特に好ましい。回転毎の移動距離は、ここではネジ山のピッチに依存する。
【００２６】
ネジ山の配置は、中間領域の内法の幅が、接続要素を回転させることによって調整できる利点を有する。従って、ユーザは、接続要素を回転させることによってクランプユニットに対する接触ユニットの距離を調整できる。
【００２７】
本発明の開発では、接続要素は端子要素の一部であり、接続要素は、導電接続を介して接触ユニットの接触要素と電気的に接触されている。
【００２８】
その結果、接続要素はこのようにバスバーに作用し、接続要素は接触要素を介してバスバーに導電的に接続される。
【００２９】
特に好ましい実施形態では、少なくとも1つの接触要素は、接触顎に導電的に接続され、接触顎は、接続要素に導電的に接続される。その結果、このようにして接触顎を介して接触要素と接続要素の間に導電接続が確立される。
【００３０】
伝達要素、好ましくはマルチラメラ接触（Kontaktlamelle）は、少なくとも１つの接触要素と接触顎の間、及び／又は接触顎と接続要素の間に設けられることが好ましい。
【００３１】
端子要素は、接続要素又は端子要素に導電的に接続され、ケーブルを受け入れるための端子部を有する端子受けを有することが好ましい。端子受けは、クランプユニットの反対側に配置されることが好ましい。端子要素及び端子受けが端子ユニットを形成する。
【００３２】
接続要素は、端子受けの開口中に少なくとも一部が延び、伝達要素、特にマルチラメラ接触は前記開口中に配置され、端子受けと接続要素の間の電気接触を伝達し、接続要素は前記開口中に回転可能に取り付けられることが好ましい。
【００３３】
その結果、端子受けは、クランプユニットと接触ユニットに対して接続要素が回転しても静止したままでいる。
【００３４】
クランプ要素は、作動要素によって操作することができることが好ましく、作動要素は接続要素によって取り付けられた棒であることが好ましく、該棒は先端部を介してレバーに作用する。作動要素は管状の接続要素内に取り付けられることが特に好ましい。
【００３５】
接続要素は、調整ネジを受け入れるための内ネジ山を有することが特に好ましく、調整ネジは作動要素、特に前記棒の後端部に作用し、調整ネジが回転すると接続要素中の作動要素を動かす。
【００３６】
レバーは、当該レバーを静止状態に保持する、スプリング形状の戻し要素を有することが特に好ましい。
【００３７】
また、接触装置は、電気絶縁性のハウジングを有することが好ましい。
【００３８】
ハウジングは、接触顎の周辺に延びる第１ハウジング部材、及び接続要素の周辺に延び、接続要素と共同回転するように接続要素に接続された第２ハウジング部材を有することが好ましく、これらのハウジング部材は部分的に互いに重なり合う。クランプユニットと接触ユニットの間の調整動作の際に、ユーザは、その動作を第２ハウジング部材を介して接続要素に適用できる。
【００３９】
別の実施形態では、端子要素はパイプの形状を有し、該パイプの中で作動要素がパイプの中心軸に沿って縦方向に移動可能であり、パイプに対して回転不能に取り付けられ、該作動要素はその先端部を介してクランプ要素、特にクランプ顎に作用する。これによって作動要素は接触ユニットに対して移動可能である。この実施形態では、接触装置はクランプユニット、接触ユニット、及び、少なくとも接触ユニットに、好ましくはクランプユニットにも、導電的に接続された端子要素を有する。
【００４０】
前記別の実施形態では、端子ユニットはクランプ要素及び接触要素の反対側のパイプの端部に配置されることが特に好ましい。ここで、端子ユニットは、外部要素に導電的に接続できるように形成される。接触ユニットに導電的に接続された端子要素は、端子ユニットを介して外部要素に接続できる。
【００４１】
端子ユニットは、開口を有する端子受けを備える。端子要素、特にパイプは、少なくとも一部が端子受けの開口中に延びており、伝達要素、特にマルチラメラ接触は、前記開口中に配置されて端子受けと端子要素、特にパイプ、の間の電気接触を伝達し、端子要素、特にパイプは前記開口中に回転可能に又は固定して取り付けられる。
【００４２】
別の実施形態は、従属請求項で特定されている。
【図面の簡単な説明】
【００４３】
以下、図面を参照しながら本発明の好ましい実施形態を説明する。図面は単に説明のためのものであり、限定と解釈すべきではない。図面中：
【００４４】
【図１】図１は、本発明の第１実施形態の、クランプユニット及び接触ユニットを有する接触装置の斜視図である。
【図２】図２は、図１の接触装置の断面図である。
【図３】図３は、接触ユニットが別の位置で示された、図１の接触装置の断面図である。
【図４】図４は、図２の細部を示す図である。
【図５】図５は、図２の細部を示す図である。
【図６】図６は、図１の接触ユニットの断面図である。
【図７】図７は、図１のクランプユニット及び接触ユニットの細部を示す図である。
【図８ａ】図８ａは、本発明の第２実施形態のクランプユニット及び接触ユニットを有する接触装置の斜視部分断面図である。
【図８ｂ】図８ｂは、本発明の第２実施形態のクランプユニット及び接触ユニットを有する接触装置の斜視部分断面図である。
【図９】図９は、図８の接触装置の断面図である。
【図１０】図１０は、接触ユニットが別の位置で示された、図８の接触装置の断面図である。
【図１１】図１１は、図９の細部を示す図である。
【図１２】図１２は、図９の細部を示す図である。
【図１３ａ】図１３ａは、本発明の第３実施形態のクランプユニット及び接触ユニットを有する接触装置の斜視図である。
【図１３ｂ】図１３ｂは、本発明の第３実施形態のクランプユニット及び接触ユニットを有する接触装置の斜視図である。
【図１３ｃ】図１３ｃは、図１３ａの断面の部分図である。
【図１４】図１４は、図１３の接触装置の断面図である。
【図１５】図１５は、接触ユニットが別の位置で示された、図１３の接触装置の断面図である。
【図１６】図１６は、図１５の細部を示す図である。
【図１７】図１７は、図１５の細部を示す図である。
【図１８】図１８は、第２変形型の接触要素を有する図１３の斜視詳細図である。
【発明を実施するための形態】
【００４５】
本発明の第１実施形態を図１〜７に示す。図８ａ〜１２は、本発明の第２実施形態を示す。最後に、図１３ａ〜１８は、本発明の第３実施形態を示す。類似の部材は類似の符号で示す。
【００４６】
図１は、バスバー２を接触させるための第１実施形態の接触装置１を示す。バスバー２は、図２及び３に概略的に図解されている。接触装置１は、接触装置１に接続されたケーブルをバスバーに取り付ける役目を果たす。前記ケーブルは図１には図示されていない。バスバーとケーブルの間に電気接触が提供される。
【００４７】
接触装置１は、バスバーにクランプ力を与えるためのクランプユニット５、及びバスバーを電気的に接触させるための接触ユニット６を有する。また、図１の接触装置１は端子ユニット２１を有する。端子ユニット２１は、接触装置１にケーブルを接続する役目を果たす。
【００４８】
クランプユニット５は、接触ユニット６から一定の距離をおいて配置される。中間領域７は、クランプユニット５と接触ユニット６の間に設けられ、前記バスバーを受け入れる役目を果たす。
【００４９】
クランプユニット５及び接触ユニット６は、互いに対して移動可能である。図２及び図３は、接触装置１の断面説明図である。クランプユニット５と接触ユニット６の間の中間領域７は、図３で示されている位置よりも図２に示されている位置の方が小さい。図２のより薄いバスバー２は、このように締め付けることができる。以下、接触装置１の構造を、図２及び図３を参照しながらさらに詳細に説明する。
【００５０】
クランプユニット５は、基本的にバスバー２の接触面４にクランプ力を与え、一方で、接触ユニット６は、第２接触面３を介してバスバー２に電気接触する。
【００５１】
クランプユニット５は、前記接触面４に作用するクランプ要素８を有する。ここで、クランプ要素８は、レバー８の形状を有する。レバー８は中間領域７に対してバスバー２の接触面４の上に移動することができる。本実施形態では、レバー８は、旋回軸３９の周りを旋回できる。レバー８とその操作原理を以下で更に詳細に説明する。
【００５２】
接触ユニット６は、中間領域７の方を向いている表面１０を有する接触顎９を有する。また、接触ユニット６は、前記表面１０に対して移動可能であり、中間領域７中に突き出している、少なくとも１つの接触要素１１、及び前記接触要素に導電的に接続された端子要素１２を有する。本実施形態では、複数の接触要素１１が配置される。端子要素１２は、端子ユニット２１と（複数の）接触要素１１の間の電気接続を提供する。このように、（複数の）接触要素１１及び端子要素１２、場合により端子ユニット２１を介して、バスバー２にかかる電圧が取り出される。しかしながら、端子要素１２は、直接的に外部要素に導電的に接続することもでき、その場合、端子ユニットは省略してもよい。
【００５３】
接触した状態では、レバー８は、バスバー２の接触面４に一定の力を掛ける。（複数の）接触要素１１を有する接触顎９は、接触面３と少なくとも１つの接触要素１１の間に一定の電気接触が提供されるように、この力によって接触面３に対して引かれる。これに関して、バスバーは長方形の断面を有し、前記２つの接触面３，４は、互いに平行に延びた面であることが好ましいことに注意すべきである。
【００５４】
図６及び図７に示すように、接触要素１１は、ピン３３の形状を有する。ピン３３は、円筒形のピンであることが好ましい。接触顎９は、接触要素１１又はピン３３毎に１つの穴を有し、その穴の中でピン３３が移動可能に取り付けられる。（複数の）穴３５は表面１０から接触顎９の中へ延びる。ピン３３は、バスバー２に電気接触する接触面３４を有する。接触面は、様々な方法で形成できる。ここで、接触面３４は、切断端４０の形状を有し、これは切断要素と呼ぶこともできる。切断端４０は、ピン３３の端面から伸びる。前記端面は、切断端４０の設計によっては接触面の一部であってもよい。ピン３３には、当該ピン３３を穴３５から見て表面１０の方向に押すスプリング３６が作用する。ピン３３が穴３５の中に押されているとき、スプリングはピンを押し込む動きに抗って対応するスプリング力を提供する。スプリング３６は、例えば、ディスクスプリング又は圧縮スプリングであり得る。特に好ましい実施形態のスプリング及びピンの配置を図６に示す。
【００５５】
また、接触要素１１又はピン３３は、少なくとも１つの切断要素４０を有する。切断端４０を（複数の）図に示す。切断要素は、実質的にピン３３の端面から中間領域７の方向に延びる。切断要素は、接触面３４、又は接触面３４の一部を形成する。例えば、収縮管が設けられているバスバーは、切断要素によって接触され、切断要素は収縮管の中に侵入し、バスバーと電気接触する。しかしながら、切断要素は別の形状、例えば、円錐状のチップとして形成されてもよい。
【００５６】
図６では、ピン３３と穴３５の間に、ピン３３と穴３５の表面の間の電気接触を改善するための伝達要素４１が設けられていることも示す。ここでは、伝達要素４１は、ピン３３と接触顎９の間の電気接触を提供する、マルチラメラ接触である。
【００５７】
クランプユニット５と接触ユニット６の間の可動性について、図２，３及び４を参照しながらより詳細に説明する。クランプユニット５と接触ユニット６の間の中間領域７の幅を調整できるように、クランプユニット５と接触ユニット６は、移動軸Ｂに沿って互いに対して移動可能である。この実施形態では、接触ユニット６は、固定されたクランプユニット５に対して移動可能である。
【００５８】
クランプユニット５は、ガイド要素１３を介して接触ユニット６に接続する。ガイド要素１３は、ガイドピン１３として図７に示されている。ここでは、１つのガイドピン１３のみが示されているが、２以上のガイドピン１３を設けてもよい。（複数の）ガイドピン１３は、ここでは、接触ユニット６とクランプユニット５の間の相対的な移動をガイドする。（複数の）ガイド要素１３は、移動軸Ｂに平行に延び、２つのユニット５，６が移動軸の周りを互いに対して移動することを防止する。従って、クランプユニット５は接触ユニット６に対して旋回することはできない。
【００５９】
ここでは、ガイド要素１３は、クランプユニット５及び接触ユニット６の開口４２中に突き出している。ガイド要素１３は、２つの開口のうちの一方の中に押し込まれており、中間領域７の調整の際に他方の開口４２の中へと動くことが好ましい。
【００６０】
また、接触装置１は、移動軸Ｂに沿って延びる接続要素１５を有する。接続要素１５は、接触ユニット５をクランプユニット６に接続し、接触ユニット５とクランプユニット６は接続要素１５を介して互いに接続される。接続要素１５は、バー（棒）又は図に示すようなパイプ１５の形状を有することが好ましい。
【００６１】
クランプユニット５は、ここでは、接続要素１５の末端領域３７に配置される。クランプユニット５は、移動軸Ｂに沿った動きに対して固定して接続要素１５に接続されるように接続要素１５に接続される。接触ユニット６は、接続要素１５の外周面３８上で移動可能に取り付けられる。これは、接触ユニット６が、接続要素１５に固定して接続されたクランプユニット５に対して移動可能であることを意味する。
【００６２】
しかしながら、接続要素１５は、クランプユニット５に対して、及び接触ユニット６に対して移動軸Ｂの周りを回転可能である。従って、接続要素１５は、クランプユニット５及び接触ユニット６の両方に対して回転可能である。以下、この機能性について、図４を参照しながらより詳細に説明する。
【００６３】
接続要素１５は、ベアリングポイント１６を介してクランプユニット５に接続される。ここで、ベアリングポイント１６は、移動軸Ｂに沿ってクランプユニット５と接続要素１５の間が動かないように形成される。しかしながら、接続要素１５は、移動軸Ｂの周りを回転できる。ベアリングポイント１６は、基本的に、クランプユニット５に取り付けられた係止要素１７を有し、係止要素は溝１８とかみ合う。溝１８は、接続要素１５の外周面３８から接続要素１５の中へ延びる。
【００６４】
接触ユニット６、ここでは接触顎９は、連続開口１９を有し、この開口１９を通り抜けて接続要素１５がガイドされる。即ち、接触ユニット６は開口１９を介して接続要素上に取り付けられると言える。ここで、接続要素１５は、接触ユニット６に対して移動軸Ｂの周りを旋回できる。また、接触ユニット６又は接触顎９は、外周面３８の上を移動軸Ｂに沿って動くことができる。接続要素１５は、接触ユニット６に対して、軸方向にもラジアル方向にも動くことができる。
【００６５】
開口１９は内ネジ山５２を有し、接続要素１５は対応するポイントで該内ネジ山にぴったり合う外ネジ山５１を有する。外ネジ山５１はここで内ネジ山５２とかみ合う。接続要素１５が移動軸Ｂの周りを回転すると、中間領域７の調整が行われる。何故なら、２つのネジ山５１，５２の係合によって、接続要素１５上の回転運動が、接触ユニット６の長手方向動きをもたらすからである。中間領域７は、このようにして接続要素１５の回転によって調整できる。ガイド要素１３は、クランプユニット５と接触ユニット６の間の旋回を起こさせない。
【００６６】
接続要素１５は、接触ユニット６を端子ユニット２１に接続する端子要素１２の一部でもある。接続要素１５は、ここで導電的接続を介して接触ユニット６の（複数の）接触要素１１と電気的に接触する。上記で既に説明したように、少なくとも１つの接触要素１１は、ここで接触顎９に導電的に接続される。接触顎９は、今度は接続要素１５と導電的に接続され、伝達要素２０（マルチラメラ接触等）が接続要素１５と接触顎中の開口１９の間に設けられることが好ましい。上部の接触要素１１から接続要素１５への電気接続の経路を図４に破線で図示する。しかしながら、破線は単なる模式図であると理解すべきである。
【００６７】
端子ユニット２１の接触を、図５を参照しながら以下に詳細に説明する。端子ユニット２１は、端子受け４３を有する。この端子受け４３は、伝達要素２４、特にマルチラメラ接触を介して接続要素１５に導電的に接続される開口２３を有する。接続要素１５は、同様に端子受け４３に対して回転可能に配置される。また、端子受け４３は、接触開口部４４を有し、接触開口部４４を介してケーブルを取り付けることができる。ケーブルは、例えば、（複数の）ネジ５０を介して接触開口部４４中で締め付けることができる。別の設計では、ケーブルは、プレスフィット接続を介して、又は内部フレーム及び／又は外部フレームの形状の円錐状クランプ点を介して取り付けることができる。
【００６８】
図２を参照すると、（複数の）接触要素１１から端子受けまでの接触装置１の全体の電気接触は次のようにまとめることができる。（複数の）接触要素１１は、接触顎９及び接続要素１５を介して端子受け４３に電気的に接続され、電気接触を改善するために、前記各部材の間に伝達要素が設けられる。
【００６９】
図２及び図３を参照しながらクランプ要素８の操作についても以下に説明する。クランプ要素８は、作動要素２５を用いて作動させることができる。本実施形態では、作動要素２５は、パイプ１５の形状の接続要素１５内に取り付けられたロッド（棒）２５の形状を有する。作動要素２５は、移動軸Ｂに沿って動くことができる。作動要素２５は、先端部２６を介してレバーに作用する。ここでは、レバーはレバー上部１４とレバー下部４５を有する。先端部２６は、レバー上部１４に作用し、バスバー２の反対にレバー下部４４を押す。ここでは、従って、レバーは旋回軸３９を介して旋回される。レバー下部４５では、レバーはさらにベアリング要素４６を有する。
【００７０】
端子ユニット２１の領域の接続要素１５は、調整ネジ２８を受け入れる内ネジ山２７を有する。調整ネジ２８は、ここで作動要素２５、特にロッド２５の後端部２９に作用する。調整ネジ２８が回転すると、接続要素１５中の作動要素２５は作動軸Ｂに沿って動く。図２に関しては、作動要素２５がレバー部４４と反対にスライドすると、締め付け工程が実行されると言える。調整ネジが別の方向に再度動くと直ぐに、作動要素２５も同じ方向に動く。従って、レバー８はこの目的のために、スプリング要素によって予め荷重がかけられている。伸縮バネ３０を図７に示す。
【００７１】
図２の断面図から、接触装置１がハウジング３２を有することも理解できる。ハウジング３２は、接触装置１の周りに実質的に完全に延びている。表面１０及び（複数の）接触ピン１１若しくは３３だけが外側から接近可能である。他の全ての要素はハウジング３２によって電気絶縁されている。後部領域、特定的には端子ユニット２１の領域では、ハウジング３２はグリップ部５３を有する。接続要素１５は、このグリップ部５３を介して手で回転することができる。その結果、ハウジング３２は、接続要素１５に固定して接続される。この目的のために、接続要素１５は、対応する（複数の）接続点４７を有する。即ち、ハウジング３２は基本的に第１ハウジング部材４８と第２ハウジング部材４９を有すると言うこともできる。第１ハウジング部材４８は、ここでは接触顎９の周囲に延び、第２ハウジング部材４９は接続要素１５の周囲に延びている。第１ハウジング部材４８は、ここでは、ハウジング部材４９がハウジング部材４８中に突き出るように、ハウジング部材４９よりもわずかに大きい直径を有する。既に説明したように、ハウジング部材４９は、接続要素１５に接続される。グリップの領域では、ハウジングは防護シールド５４も有する。防護シールド５４は、ユーザの手がバスバーと接触しないようにするためのストッパーを提供する。クランプユニット５は、ここでは第３ハウジング部材５５を備えて形成され、第３ハウジング部材５５はクランプユニット５を電気絶縁する。３つのハウジング部材４８，４９及び５５は互いに別個に形成される。
【００７２】
第２実施形態のバスバーを接触させるための接触装置１を図８ａ〜図１２に示す。同種の部材には先に示した図面と類似の参照符号を付している。第２実施形態は、クランプユニット５、特にクランプ要素８のデザイン、及び接触ユニット６、特に接触要素１１のデザイン、及びクランプユニット５と接触ユニット６の間の動きを担う部材のデザインによって根本的に第１実施形態と異なっている。
【００７３】
しかしながら、接触要素１１を他の実施形態で使用してもよい。
【００７４】
第２実施形態の接触装置１は、第１の前記（複数の）接触面４にクランプ力を与えるためのクランプユニット５、及び第２の前記（複数の）接触面３を電気的に接触させるための接触ユニット６を有する。
【００７５】
図９，１０及び１１の断面図は、接触要素１１が少なくとも１つのロッカー５６の形状を有し、ロッカー５６が接触顎９中のロッカー取り付け具５７に取り付けられることを示す。ロッカー５６は、バスバー２を電気接触させるための前記接触面３４を有する。ロッカー５６は、接触面３４の反対側に軸受け部６６を有し、その軸受け部は凹状に丸くなっており、凸状に丸くなっているロッカー取り付け具５７中に位置する。丸く設計されている結果、バスバーの接触面３，４に対するロッカーの最適な調整が達成されるように、ロッカー５６がロッカー取り付け具中にわずかに傾くことを可能にする。ロッカー５６は、接触面３４上に少なくとも１つの前記切断要素４０を有することが特に好ましい。
【００７６】
ロッカー５６は、ロッカー取り付け具５７に導電的に接続され、従って、接触顎９にも導電的に接続される。
【００７７】
接触顎９自体は、第２実施形態の端子要素１２に導電的に接続される。端子要素１２は、後でさらに検討するように、パイプ６２である。パイプ６２は、接触顎９上の受け入れ開口６７中に突き出し、好ましくは一体として結合されて接触顎９に接続される。電圧はバスバーから端子要素１２を介して別の要素に伝達することができる。ここで、電圧は、端子ユニット２１に伝達され、端子ユニットをケーブルに接続することができる。ここで、端子ユニット２１は、パイプ６２に導電的に接続される。
【００７８】
図１１では、ロッカー５６から端子要素１２への電気接続経路が破線で示されている。しかしながら、破線は、純粋に図解であると理解されるべきである。
【００７９】
第２実施形態のクランプ要素８は、クランプ顎６３である。クランプ顎６３は、図１１に明確に示されている。クランプ顎６３は、バスバー２を接触させるための接触面６８を有する。変形例では、接触面はクランプ顎６３の不可欠な一部であってもよく、特にその表面によって提供される。別の変形例では、接触面６８は、ロッカー５６の一部であってもよく、クランプ顎６３中のロッカー取り付け具５７に取り付けられる。ロッカー５６及びロッカー取り付け具５７は、ここでは接触顎９に取り付けるのと類似の方法でクランプ顎７中に取り付けることができる。
【００８０】
図８ｂの部分断面図及び図１１の詳細から、第２実施形態では、接触顎９とパイプ６２の間に電気接触が提供されるだけでなく、パイプ６２とクランプ顎６３の間にも電気接触が提供されることが明確に理解できる。クランプ顎６３は、導電的に接続部６９に接続される。接続部６９は、その一部がパイプ６２中に突き出し、又はパイプ６２と導電的に接触される。接続部６９とパイプ６２の間に電気接触を提供する伝達要素７０は、接続部６９と接触顎９の間の隙間に配置される。接続部６９は、中心軸Ｍに沿ってパイプ６２の中及び接触顎９の中でスライドしてもよい。大雑把に言えば、クランプ要素８は、接触顎９と前記端子要素１２（ここではパイプ６２の形状）に導電的に接続される。
【００８１】
第２実施形態では、端子要素１２はパイプ６２であり、その中で作動要素２５はパイプ６２の中心軸Ｍに沿って長手方向に移動可能であって、パイプ６２に対して回転できないように取り付けられる。作動要素２５は、その先端部２６を介してクランプ要素８，特にクランプ顎６３に作用し、それによってクランプ要素が接触ユニット６に対して移動可能である。作動要素２５は、ここでは、接続部６９を介してクランプ顎６３に作用する。このために、作動要素２５は、ネジ接続を介して接続部６９に接続され、パイプ６２と接続部６９の間に上記電気接触が提供されるように、接続部６９はパイプ６２中に突き出している。接続部６９は、例えば、ネジ連結８９を介してクランプ顎６３に固定して接続される。
【００８２】
即ち、作動要素２５は、接続部６９を介して、クランプ要素８、特にクランプ顎６３に固定して接続される。
【００８３】
示した実施形態では、パイプ６２は接触顎９の穴７１を通って延長される。パイプ６２は、この穴７１の中で接触顎９に導電的に接続される。しかしながら、別の変化型では、接続部６９は、パイプ６２中に突き出していてもよい。
【００８４】
パイプ６２は、電気絶縁性のハウジング７２によって外面が取り囲まれている。
【００８５】
クランプ要素８は、パイプ６２の中心軸Ｍに沿ってパイプ６２に対して移動可能である。クランプ要素８は、ハウジング６４の中に移動可能に取り付けられることが好ましい。ハウジング６４は、接触顎９及びパイプ６２の外面を取り囲むハウジング７２に固定して接続されることが好ましい。
【００８６】
少なくとも１つのガイド要素が、クランプ要素８とパイプ６２若しくは他の要素の間に設けられ、該ガイド要素は、クランプ要素８とパイプ６２の間の回転を防止する。しかしながら、ガイド要素は、タング・アンド・グルーブ接続によって、又は平らな（複数の）ガイド領域によって提供されてもよい。
【００８７】
駆動要素７３は、クランプユニット５及び接触ユニット６の反対側に配置される。従って、接触装置は駆動要素７３も有し、駆動要素７３はパイプ６２の反対側の端部に配置される。駆動要素７３は、外部にグリップ部５３を有する。駆動要素７３は、ネジ山７４を介して作動要素２５に接続される。駆動要素７３が回転すると、ネジ山による連携及び前記パイプ６２中の回転不能の取り付けのために、作動要素２５はパイプ６２の中心軸に沿ってスライドされる。
【００８８】
ここで、駆動要素７３は、グリップ部７４、及びグリップ部７４に回転不能に設置されたスリーブ要素７５を有し、前記スリーブ要素は、作動要素２５の外ネジ山７７と接触する内ネジ山７６を有する。
【００８９】
スリーブ部材７５も、パイプ６２と導電的に接触する。このために、伝達要素７８は、パイプとスリーブ部材の間に位置する。スリーブ部材の外面は、伝達要素２４を介して端子ユニット２１、より具体的には端子受け４３中に設けられた開口２３と電気接触する。電気接触を生じる伝達要素２４は、スリーブ部材７５と開口２３の間に配置されることが好ましい。
【００９０】
端子ユニット２１は、種々の方法で形成できる。端子ユニット２１は、第１実施形態に従って形成されることが特に好ましく、端子部４４を有する。端子部４４は、図１２に示すようにケーブル又はアダプター部７９に電気的に接続できる。
【００９１】
第３実施形態によるバスバーを接触させるための接触装置１を、図１３ａ〜図１８に示す。同様の部材には、先の図と類似の符号を付している。第３実施形態は、クランプユニット５、特にクランプ要素１１のデザイン、及び接触ユニット６、特に接触要素１１のデザイン、及びクランプユニット５と接触ユニット６の間の動きを担う部材のデザインで、第１実施形態と異なる。
【００９２】
しかしながら、接触要素１１は、他の実施形態でも使用できる。
【００９３】
図１８で明確に見ることができる接触要素１１は、ここでは、中間領域中に突き出している（複数の）かぎ爪部５９を有する、少なくとも１つのかぎ爪５８の形状を有し、前記かぎ爪５８は、接触顎９中のかぎ爪取り付け具６０に取り付けられる。（複数の）かぎ爪部５９は、バスバー２を電気接触させるための前記接触面３４を有する。
【００９４】
第３実施形態では、接触顎９とパイプ６２の間に電気接触が提供されるだけでなく、パイプ６２とクランプ顎６３の間の電気接触も提供されることは、図１３ｂの部分断面図及び図１３ｃの断面図から明確に理解できる。クランプ顎６３は、接続部６９に導電的に接続される。ここで、接続部６９は、パイプ６２に導電的に接続される。接続部６９は、伝達要素６５を介して接触顎９及び／又はクランプ顎６３とも電気接触される。ここでは、特にクランプ顎６３への接続が詳細に示されるが、接触顎９は接続部６９と一体に形成されている。ここで、伝達要素６５は、平面で平らに取り付けられる。平らに取り付けることは、接触顎９及びクランプ顎６３が互いに対して回転できないことをさらに確実にする。クランプ顎６３は、伝達要素６５に対して接続部６９と共に移動することができる。大雑把に言えば、クランプ要素８は、接触顎９と前記端子要素１２（ここではパイプ６２の形状の）に導電的に接続される。図１３ｂ及び図１６では、各要素間の接触経路を破線で図示する。
【００９５】
クランプ顎６３は、接続部６９に対して移動できる。このため、クランプ顎６３は作動要素２５の先端部２６を介して作動要素２５に固定して接続される。従って、本願明細書に記載の微調整も使用すると、接触顎９及び伝達要素もクランプ顎に対して移動できる。
【００９６】
平らな（複数の）ガイド領域６１は、伝達要素６５の平らな取り付けによって追加的に提供される。このタイプの接続部６９の（複数の）ガイド領域６１を図１３ｂに示す。
【００９７】
図１８の変形例では、基部８０から、一方では（複数の）かぎ爪部５９が、他方では接触顎９中のスロット８２の中に突き出す締結部８１が延びる。スロット８２は、かぎ爪取り付け具６０を構成する。ここでは、このタイプの接触要素１１が２つ配置されており、それらの締結部８１が同じスロットの中に突き出す。
【００９８】
クランプ要素８も、その中に取り付けられたかぎ爪５８を有する少なくとも１つのかぎ爪取り付け具６０を有する。クランプ要素８の領域のかぎ爪５８は、ここでは接触顎９中のかぎ爪と同じに形成できる。
【００９９】
図１６に示す実施形態では、パイプ６２は、接触顎８中の穴７１を通って延ばされる。パイプ６２は、この穴７１の中で接触顎８に導電的に接続される。しかしながら、別の変形例では、接続部６９はパイプ６２の中に突き出していてもよい。
【０１００】
パイプ６２は、電気絶縁性のハウジング７２によって外周を囲まれている。
【０１０１】
クランプ要素８は、パイプ６２の中心軸Ｍに沿ってパイプ６２に対して移動できる。クランプ要素８は、ハウジング６４中に可動に取り付けられることが好ましい。ハウジング６４は、パイプ６２の外部を取り囲むハウジング７２に固定して接続されることが好ましい。
【０１０２】
駆動要素７３は、クランプユニット５及び接触ユニット６の反対側に配置される。このように、接触装置は、駆動要素７３も有する。第３実施形態の駆動要素７３は、第２実施形態の駆動要素とは僅かに異なって形成される。第３実施形態の駆動要素７３は、基本的に、クランプユニットと接触ユニットの間の粗調整を可能にする粗調整要素８３、及びクランプユニットと接触ユニットの間の微調整を可能にする微調整要素８４を有する。
【０１０３】
粗調整要素８３は、外部にグリップ部５３を有する。駆動要素７３は、ネジ山７６，７７を介して（複数の）作動要素２５に接続される。駆動要素７３が回転すると、ネジ山による協働とパイプ６２中での回転不能な取り付けによって、作動要素７５は前記パイプ６２の中心軸に沿って移動する。
【０１０４】
駆動要素７３は、ここでは、グリップ部７４、及びグリップ部７４中に回転不能に配置されたスリーブ要素７５を有する。スリーブ要素は、作動要素２５の外ネジ山７７と接触する内ネジ山７６を有する。外ネジ山７７は、ここでは全周ではない。
【０１０５】
また、スリーブ８７は、パイプ６２と導電的に接触される。そのため、伝達要素７８は、パイプとスリーブ部材の間に配置される。スリーブ部材の外周は、伝達要素２４を介して端子ユニット２１、より具体的には端子受け４３中に設けられた開口２３と電気的に接触される。電気接触を生じる伝達要素２４は、スリーブ部材７５と開口２３の間に配置されることが好ましい。
【０１０６】
微調整要素は、図１３ｂ及び図１７に明確に示される。本実施形態における微調整要素８４は、カムディスク８５、より詳細にはスプリングカムアーム８６を備えるカムディスク８５を有する。カムディスク８５は、パイプ６２に接続するスリーブ８７の後端部に作用する。このようにパイプ６２は、接触ユニット６がクランプユニット５と反対に動くように、作動要素２５に対して移動する。微調整要素は、このようにして達成される。
【０１０７】
カムディスク８５は、駆動片８８を介して作動できる。駆動片８８は、外側から使用できる。
【０１０８】
特に好ましい実施形態では、カムディスク８５は、微調整の際、停止位置まで作動できるように形成される。カムディスク８５は、回転軸Ｄの周りを回転し、回転軸Ｄは移動軸Ｂに対して直角である。
【０１０９】
第３実施形態用の端子ユニット２１は、様々な方法で形成できる。第１実施形態に従って形成されることが特に好ましく、端子部４４を有する。端子部４４は、図１２に示すようにケーブル又はアダプター部７９に電気的に接続することができる。
【符号の説明】
【０１１０】
１  接触装置
２  バスバー
３  接触面
４  接触面
５  クランプユニット
６  接触ユニット
７  中間領域
８  クランプ要素，レバー
９  接触顎
１０  表面
１１  接触要素
１２  端子要素
１３  ガイド要素，ガイドピン
１４  レバー上部
１５  接続要素，パイプ
１６  ベアリングポイント
１７  係止要素
１８  溝
１９  開口
２０  伝達要素
２１  端子ユニット
２３  開口
２４  伝達要素
２５  作動要素
２６  先端部
２７  内ネジ
２８  調整ネジ
２９  後端部
３０  戻し要素
３１  丸まった部分
３２  ハウジング
３３  ピン
３４  接触面
３５  穴
３６  スプリング
３７  末端領域
３８  外周面
３９  旋回軸
４０  切断要素
４１  伝達要素
４２  開口（複数）
４３  端子受け
４４  端子部  接触開口部
４５  レバー下部
４６  ベアリング要素
４７  接続点（複数）
４８  第１ハウジング部材
４９  第２ハウジング部材
５０  ネジ（複数）
５１  外ネジ山
５２  内ネジ山
５３  グリップ部
５４  防護シールド
５５  ハウジング
５６  ロッカー
５７  ロッカー取り付け具
５８  かぎ爪
５９  かぎ爪部（複数）
６０  かぎ爪取り付け具
６１  ガイド領域（複数）
６２  パイプ
６３  クランプ顎
６４  ハウジング
６５  伝達要素
６６  ベアリング部
６７  受け入れ開口
６８  接触面
６９  接続部
７０  伝達要素
７１  穴
７２  ハウジング
７３  駆動要素
７４  グリップ部
７５  スリーブ要素
７６  内ネジ山
７７  外ネジ山
７８  伝達要素
７９  アダプター部
８０  基部
８１  締結部
８２  スロット
８３  粗調整要素
８４  微調整要素
８５  カムディスク
８６  カムアーム
８７  スリーブ
８８  駆動片
８９  ネジ連結
Ｂ  移動軸
Ｄ  回転軸
【図１】
2016510491.tif 000003
【図２】
2016510491.tif 000004
【図３】
2016510491.tif 000005
【図４】
2016510491.tif 000006
【図５】
2016510491.tif 000007
【図６】
2016510491.tif 000008
【図７】
2016510491.tif 000009
【図８ａ】
2016510491.tif 000010
【図８ｂ】
2016510491.tif 000011
【図９】
2016510491.tif 000012
【図１０】
2016510491.tif 000013
【図１１】
2016510491.tif 000014
【図１２】
2016510491.tif 000015
【図１３ａ】
2016510491.tif 000016
【図１３ｂ】
2016510491.tif 000017
【図１３ｃ】
2016510491.tif 000018
【図１４】
2016510491.tif 000019
【図１５】
2016510491.tif 000020
【図１６】
2016510491.tif 000021
【図１７】
2016510491.tif 000022
【図１８】
2016510491.tif 000023
【国際調査報告】
2016510491.tif 000024
2016510491.tif 000025
2016510491.tif 000026
2016510491.tif 000027